(57)【要約】【課題】接続端子をコネクタに接続する際には、電線径が細い場合であっても、被覆電線の接続端子の近傍部分に対し、折れ曲がらずに接続方向に力を加えられるように、かつ捻る方向に力を加えられるように把持することができるワイヤハーネスを提供すること。【解決手段】絶縁被覆材１３が皮剥ぎされ導線１２端部が露出した複数の被覆電線１１と、各被覆電線１１の導線１２端部に設けられた接続端子１５と、各端子挿入孔２０に接続端子１５の接続部１６を脱出不能に収容するコネクタ１９と、一端部２２が絶縁被覆材１３の皮剥ぎ後の端部１３ａに重なり接続端子１５の第２のバレル部１８に固定され、第２のバレル部１８より離れる方向に延びて絶縁被覆材１３に重なる指掛部２３を有する被覆電線保持具２１と、を備えた。【選択図】図１
2017076479.tif 000002
【特許請求の範囲】
【請求項１】
絶縁被覆材が皮剥ぎされ導線端部が露出した複数の被覆電線と、
前記各被覆電線の前記導線端部に設けられた接続端子と、
各端子挿入孔に前記接続端子の接続部を脱出不能に収容するコネクタと、
一端部が前記絶縁被覆材の前記皮剥ぎ後の端部に重なり前記接続端子のバレル部に固定され、前記バレル部より離れる方向に延びて前記絶縁被覆材に重なる指掛部を有する被覆電線保持具と、を備えたことを特徴とするワイヤハーネス。
【請求項２】
前記被覆電線保持具は、前記指掛部の外面部に突起部を有する、ことを特徴とする請求項１に記載のワイヤハーネス。
【請求項３】
前記被覆電線保持具は、前記バレル部のカシメ側、またはカシメ側と反対側にて、前記絶縁被覆材に重なって設けられたことを特徴とする請求項１または２に記載のワイヤハーネス。
【請求項４】
前記被覆電線保持具は、前記絶縁被覆材の半周面に重なる半筒形状に設けられたことを特徴とする請求項１または２に記載のワイヤハーネス。
【請求項５】
前記被覆電線保持具は、前記被覆電線を挟み前記被覆電線に沿って密着する二本の棒形状であり、前記バレル部のカシメ側およびその反対側に対し直交する両側にて、前記被覆電線に密着して設けられたことを特徴とする請求項１または２に記載のワイヤハーネス。
【発明の詳細な説明】
【技術分野】
【０００１】
本発明は、ワイヤハーネスに関する。
【０００２】
近年、コネクタの小型化に伴い、接続端子の小型化が進んでいるとともに、電線サイズの細径化が進んでいる。このため、電線サイズの細径化に対応した組立性が高いワイヤハーネスの提供が課題となっている。従来において、図８はワイヤハーネスを構成するコネクタと端子付き電線との一般的な接続を示し、図９は特許文献１に係る端子付き電線を示すものである。図１０は従来例に係るワイヤハーネスの要部を示す一部断面した正面図である。
【０００３】
図８〜図１０において、ワイヤハーネス５０は、被覆電線５１の端部に設けられた接続端子５２をコネクタ５９の端子挿入孔６０に収容している。接続端子５２は、コネクタ５９の端子挿入孔６０に収容される接続部５６と第１のバレル部５７と第２のバレル部５８とを有し、第１のバレル部５７が絶縁被覆材５４の端部を皮剥ぎした露出導線５３を固定し、かつ絶縁被覆材５４の皮剥ぎ後の端部５５をロック片６１により脱出不能に固定している。なお、図９に示す端子付き電線は、露出導線から絶縁被覆材５４に被さるように、防食部材６２を備えている。上記構成のワイヤハーネスにおいて、組立性を考慮したいくつかの先行発明が既に知られている（特許文献２、３参照）。
【０００４】
特許文献２に係るワイヤハーネスは、芯線断面積が１．５ｍｍ２以下の電線であり、絶縁被覆層の第２のバレル部より後方の所要長さの外面が、紫外線硬化性樹脂組成物をコーティングして紫外線を照射された樹脂硬化層である。
【０００５】
特許文献３に係るワイヤハーネスは、導体の外周に被覆する絶縁層の断面形状における外形が、略楕円形、略多角形、略花弁形、略星形などの異形であり、絶縁層の外接円径と内接円径との比が１．１〜１．５の範囲内にある絶縁電線である。
【先行技術文献】
【特許文献】
【０００６】
【特許文献１】特開２０１２−０７４１７６号公報
【特許文献２】特開２０１４−０２６８７４号公報
【特許文献３】特開２００８−２７７０４５号公報
【発明の概要】
【発明が解決しようとする課題】
【０００７】
従来のワイヤハーネスにおいては、組立性について以下の問題点がある。
【０００８】
特許文献１〜３のワイヤハーネスのいずれもが、図１０に示すように、被覆電線５１を指で挟持し接続方向に力を加えて接続端子５２をコネクタ５９に接続する際に、電線径が細い場合には、被覆電線５１と指との間の接触面積が小さく大きな把持力が生じず、また滑りが生じることにより把持力が被覆電線５１に伝わりにくく、あるいは、把持位置よりも先側で被覆電線５１が腰折れすることにより、接続端子５２をコネクタ５９の端子挿入孔６０に押し込みにくいという問題点が残っている。
【０００９】
特許文献１、２のワイヤハーネスにおいては、電線径が細い場合には、被覆電線と指との間の接触面積が小さく大きな把持力が生じないので、コネクタの端子挿通孔の孔形状に接続端子の先端面の形状が一致するように位相を合わせる、被覆電線を把持して接続端子を回す作業が難しいという問題点がある。
【００１０】
特許文献２、３のワイヤハーネスにおいては、電線径が細い場合には、被覆電線と指との間の接触面積が小さく大きな把持力が生じないので、手で接続端子を持つようにすると、露出導線に触る可能性があり、手に付いた汗やハンドクリームなどで接続端子や露出導線を腐食させる恐れがあり、また手袋を付けて被覆電線を把持し、コネクタと接続端子との接続を行う場合には、作業性がさらに悪化し、異物が付着する恐れがある。
【００１１】
特許文献１〜３のワイヤハーネスのいずれもが、電線径が細い場合には、端子挿入後に被覆電線を引っ張ることにより接続端子の対コネクタへの挿入方向後端がロック片にロックされることの引張確認がやりづらいという問題点が残っている。
【００１２】
本発明は、上述した問題点を解決するために案出されたもので、接続端子をコネクタに接続する際には、電線径が細い場合であっても、被覆電線の接続端子の近傍部分に対し、折れ曲がらずに接続方向に力を加えられるように、かつ捻る方向に力を加えられるように把持することができ、もって露出導線に触ることなく、接続端子の接続部をコネクタの端子挿入孔に迅速かつ円滑に接続することができ、また接続後の引張確認が容易にできるワイヤハーネスを提供することにある。
【００１３】
上記課題を解決するために、本発明のワイヤハーネスは、絶縁被覆材が皮剥ぎされ導線端部が露出した複数の被覆電線と、前記各被覆電線の前記導線端部に設けられた接続端子と、各端子挿入孔に前記接続端子の接続部を脱出不能に収容するコネクタと、一端部が前記絶縁被覆材の前記皮剥ぎ後の端部に重なり前記接続端子のバレル部に固定され、前記バレル部より離れる方向に延びて前記絶縁被覆材に重なる指掛部を有する被覆電線保持具と、を備えた構成である。
【００１４】
上記構成によれば、本発明のワイヤハーネスは、接続端子をコネクタに接続する際には、電線径が細い場合であっても、被覆電線と指掛部とが重なる部分に指を掛けて、折れ曲がらずに接続方向に力を加えられるように、かつ捻る方向に力を加えられるように把持することができる。このため、接続端子の接続部をコネクタの端子挿入孔に迅速かつ円滑に接続することができ、また接続後の引張確認が容易にできる。
【００１５】
前記被覆電線保持具は、前記指掛部の外面部に突起部を有する構成とすることができる。
【００１６】
この構成によれば、ワイヤハーネスは、突起部が指掛部の指当て面の摩擦抵抗を大きくするので、被覆電線と指掛部とが重なる部分を一層確実に把持することができる。
【００１７】
前記被覆電線保持具は、前記バレル部のカシメ側、またはカシメ側と反対側にて、前記絶縁被覆材に重なって設けられた構成とすることができる。
【００１８】
この構成によれば、指掛部の幅を被覆電線の径と同等の大きさの板状として、被覆電線保持具を極小にすることができ、コネクタに接続する接続端子の数が多くて密集しているときの形態として好ましい。
【００１９】
前記被覆電線保持具は、前記絶縁被覆材の半周面に重なる半筒形状に設けられた構成とすることができる。
【００２０】
この構成によれば、被覆電線保持具が被覆電線の半周面に密着するので、被覆電線を被覆電線保持具に密着するように被覆電線と被覆電線保持具とを把持すると、被覆電線の折れ曲がりの恐れが無くなり、かつ接続端子を接続する力を加えるように把持することができる。
【００２１】
前記被覆電線保持具は、前記被覆電線を挟み前記被覆電線に沿って密着する二本の棒形状であり、前記バレル部のカシメ側およびその反対側に対し直交する両側にて、前記被覆電線に密着して設けられた構成とすることができる。
【００２２】
この構成によれば、ワイヤハーネスは、指掛部の幅を被覆電線の径と同等の大きさの板状に設けることができ、両側の指掛部で被覆電線を挟んで力を加えるように把持することができる。
【発明の効果】
【００２３】
本発明によれば、接続端子をコネクタに接続する際には、電線径が細い場合であっても、被覆電線の接続端子の近傍部分に対し、折れ曲がらずに接続方向に力を加えられるように、かつ捻る方向に力を加えられるように把持することができ、もって露出導線に触ることなく、接続端子の接続部をコネクタの端子挿入孔に迅速かつ円滑に接続することができ、また接続後の引張確認が容易にできるワイヤハーネスを提供することができる。
【図面の簡単な説明】
【００２４】
【図１】本発明の一実施の形態に係るワイヤハーネスの要部を示す一部断面した正面図である。
【図２】図２（ａ）は、本発明の一実施の形態に係るワイヤハーネスを示す分解斜視図である。図２（ｂ）は、ワイヤハーネスを示す斜視図である。
【図３】本発明の一実施の形態に係るワイヤハーネスの要部の組立手順を説明するための一部断面した正面図である。
【図４】本発明の一実施の形態に係るワイヤハーネスの接続端子の第２のバレル部に関する３通りの変形例の断面図である。
【図５】本発明の一実施の形態に係るワイヤハーネスの被覆電線保持具に関する３通りの変形例の断面図である。
【図６】本発明の他の実施の形態に係るワイヤハーネスの要部を示す一部断面した正面図である
【図７】図７（ａ）は、本発明の他の実施の形態に係るワイヤハーネスの要部を示す一部断面した正面図である。図７（ｂ）は、図７（ａ）におけるＡ−Ａ断面図である。
【図８】従来に係るワイヤハーネスを構成するコネクタと端子付き電線との一般的な接続を示す斜視図である。
【図９】従来例に係る端子付き電線の接続時に問題点を説明する図である。
【図１０】従来例に係るワイヤハーネスの要部を示す一部断面した正面図である。
【発明を実施するための形態】
【００２５】
以下、本発明に係るワイヤハーネスの実施の形態を説明する。
【００２６】
［第１の実施の形態］
図１〜図３は本発明の第１の実施の形態に係るワイヤハーネスを示す。
【００２７】
先ず構成を説明する。図１、図２に示すように、この実施の形態に係るワイヤハーネス１は、絶縁被覆材１３が皮剥ぎされ導線１２端部が露出した複数の被覆電線１１と、各被覆電線１１の導線１２端部に設けられた接続端子１５と、各端子挿入孔２０に接続端子１５の接続部１６を脱出不能に収容するコネクタ１９と、一端部２２が絶縁被覆材１３の皮剥ぎ後の端部１３ａに重なり接続端子１５の第２のバレル部１８に固定され、第２のバレル部１８より離れる方向に延びて絶縁被覆材１３に重なる指掛部２３を有する被覆電線保持具２１と、を備えている。なお、第２のバレル部１８は、請求項にいうところのバレル部である。以下、さらに詳述する。
【００２８】
各被覆電線１１は、径が小さい銅線の束である導線１２と、導線１２を被覆するＰＶＣなどの絶縁被覆材１３と、を有し、絶縁被覆材１３の端部、例えば長さ１０〜１５ｍｍの端部が皮剥ぎされ、導線１２が露出する構成である。なお、導線は、径が大きい１本の銅線等であってもよい。また、導線１２は、アルミニウム線であってもよい。
【００２９】
図２に示すように、接続端子１５は、接続部１６と第１のバレル部１７と第２のバレル部１８とを有する。接続部１６は、この例では、角筒形状、すなわち雌形に形成されているが、雄形でもよい。組付け前の第１のバレル部１７と第２のバレル部１８は、それぞれ両側一対に開いた平板片部であり、カシメ冶具により抱き込む形態にカシメられる。接続端子１５は、第１のバレル部１７がカシメられ導線１２を抱き込み状態に固定し、かつ第２のバレル部１８がカシメられ絶縁被覆材１３の皮剥ぎ後の端部１３ａを抱き込み状態に固定している。組付手順は、被覆電線１１を、上向きに開いた状態の第２のバレル部１８に載せ、次いで突起部２４が上向きに凸となるように、被覆電線保持具２１を載せ、第２のバレル部１８をカシメている。もって、接続端子１５は、各被覆電線１１の端部に設けられている。接続端子１５は、例えば、銅、無酸素銅（電気すずめっき）、黄銅、あるいはアルミニウム合金などの良導電性金属板を板金加工してなる成形体とすることができる。
【００３０】
コネクタ１９は、複数の端子挿入孔２０と、各端子挿入孔２０内に孔壁の一側より張り出すロック片２５と、を有する。コネクタ１９は、各端子挿入孔２０に接続端子１５の接続部１６を収容しかつ接続部１６の通過時に接続部１６により押し倒されて後張出状態に復帰するロック片２５が接続部１６の挿入方向後端をロック片２５が当接して脱出不能に収容するようになっている。コネクタ１９は、例えば、ガラス繊維（ＧＦ）や無機フィラー等の充填材を配合して異方性を緩和し、精密成形性と耐熱性に優れるＬＣＰ樹脂（液晶ポリマー）製の射出成形体とすることができ、あるいは、ポリエステル樹脂、ポリアミド、ポリプロピレン、ポリエチレン等の樹脂製であってもよい。また、コネクタ１９は、ＧＦおよび無機フィラーを配合した強化ポリエチレンテレフタレート樹脂の射出成形体とすることができる。
【００３１】
被覆電線保持具２１は、各被覆電線１１に設けられている。被覆電線保持具２１は、一端部２２が、絶縁被覆材１３の皮剥ぎ後の端部１３ａに重なり、接続端子１５の第２のバレル部１８に固定され、他端側が第２のバレル部１８から離れる方向に延びて被覆電線１１に重なる指掛部２３となっている。
【００３２】
指掛部２３は、絶縁被覆材１３の半周面に重なる半筒形状に設けられた構成とすることができる。これによれば、被覆電線１１を被覆電線保持具２１に密着するように被覆電線１１と被覆電線保持具２１とを把持すると、被覆電線１１の折れ曲がりの恐れが無くなり、かつ接続端子１５を接続する力を加えるように把持することができる。
【００３３】
指掛部２３には他端側の外面部に突起部２４が設けられている。突起部２４は、指掛部２３の指当て面の摩擦抵抗を大きくするので、被覆電線１１と指掛部２３とが重なる部分を一層確実に把持することができ、コネクタ１９の端子挿入孔２０に接続端子１５を接続する力を良好に生じさせることができ、またコネクタ１９の端子挿入孔２０に対する接続端子１５の接続部１６の周方向の位相ずれを修正するための捻り力を良好に生じさせることができる。
【００３４】
被覆電線保持具２１は、例えば、ゴム製成形体、または、ポリプロピレン、ポリエチレン、ＰＶＣ等の樹脂製成形体とすることができ、あるいは、比較的軟らかいアルミニウム板の板金成形体とすることができる。被覆電線保持具２１は、この例では、図２に示すように、第２のバレル部１８のカシメ側に被覆電線１１に重なっている。
【００３５】
被覆電線保持具２１は、極めて小さく構成として、指掛部２３の幅を被覆電線１１の径と同等の大きさの板状に設けることができ、コネクタ１９に接続する接続端子１５の数が多くて密集しているときの形態として好ましい。
【００３６】
次に作用効果を説明する。ワイヤハーネス１は、第２のバレル部１８により被覆電線保持具２１の一端と絶縁被覆材１３の皮剥ぎ後の端部１３ａとが一体に固定されるので、被覆電線１１と指掛部２３とが重なる部分では、指掛部２３が、被覆電線１１が折れ曲がることがないように補強する役目を果たす。
【００３７】
したがって、接続端子１５をコネクタ１９に接続する際には、電線径が細い場合であっても、被覆電線１１と指掛部２３とが重なる部分に指を掛けて（図３参照）、折れ曲がらずに接続方向に力を加えられ、かつ捻る方向に力を加えられるように把持することができる。このため、接続端子１５の接続部１６をコネクタ１９の端子挿入孔２０に迅速かつ円滑に接続することができ、また接続端子１５の接続部１６がロック片２５にロックされ脱出する恐れがないか否か、接続後の引張確認が容易にできる。
【００３８】
［第１の変形例］
図４は、本発明のワイヤハーネス１の接続端子１５の第２のバレル部１８のカシメ後の３通りの異なるカシメ方による断面形状を示す変形例である。第２のバレル部１８Ａ〜１８Ｃは、被覆電線１１の絶縁被覆材１３の皮剥ぎ後の端部１３ａと、被覆電線保持具２１の一端部２２との重なり部を固定する。
【００３９】
図４（ａ）に示す第２のバレル部１８Ａは、先にカシメられる一方の平板片部が被覆電線保持具２１の一端部２２を突き破って絶縁被覆材１３の皮剥ぎ後の端部１３ａに当接され、後からカシメられる他方の平板片部が、一方の平板片部の外側に丸く重なっている。図４（ｂ）に示す第２のバレル部１８Ｂは、一対の平板片部が、同時に丸くカシメられて端面を近接状態に対抗するように閉じ合わさっている。図４（ｃ）に示す第２のバレル部１８Ｃは、一対の平板片部が、同時に丸くカシメられて被覆電線保持具２１の一端部２２を突き破って絶縁被覆材１３の皮剥ぎ後の端部１３ａに当接されている。第２のバレル部１８のカシメ加工は、図４（ａ）〜（ｃ）に示すいずれでもよく、平板片部をカシメる際に、平板片部の端面が絶縁被覆材１３を突き破らず、導線１２と第２のバレル部１８とが電気的接続が生じないことが必要である。
【００４０】
［第２の変形例］
図５は、本発明のワイヤハーネス１の被覆電線保持具２１に関する３通りの変形例である。
図５（ａ）に示す被覆電線保持具２１Ａは、指掛部２３に矩形リブ状の突起部２４Ａが縦横に配列されている。図５（ｂ）に示す被覆電線保持具２１Ｂは、指掛部２３に３条の突起部２４Ｂが配列されている。図５（ｃ）に示す被覆電線保持具２１Ｃは、指掛部２３に半球状の突起部２４Ｃが縦横に配列されている。このほか、種々の形状の突起部を設けることができ、また、種々の配列状に突起部を設けることができる。
【００４１】
［第２の実施の形態］
図６は、本発明の第２の実施の形態に係るワイヤハーネスを示す。このワイヤハーネス１Ａは、被覆電線保持具２１Ｄが第１の実施の形態に係る被覆電線保持具２１と相違しているのみであり、その他の構成要素については、第１の実施の形態と同一の符号を付して、構成、作用、効果の説明を省略する。
【００４２】
被覆電線保持具２１Ｄは、突起部２４Ｄが下向きに凸となるように、上向きに開いた状態の第２のバレル部１８に載せ、次いで被覆電線１１を載せ、第２のバレル部１８がカシメられることにより、被覆電線１１の下側に密着して第２のバレル部１８で固定されている。被覆電線保持具２１Ｄは、突起部２４Ｄについて、図５に示すバリエーションを有する。
【００４３】
［第３の実施の形態］
図７は、本発明の第３の実施の形態に係るワイヤハーネスを示す。このワイヤハーネス１Ｂは、被覆電線保持具２１Ｅが第１の実施の形態に係る被覆電線保持具２１と相違しているのみであり、その他の構成要素については、第１の実施の形態と同一の符号を付して、構成、作用、効果の説明を省略する。
【００４４】
被覆電線保持具２１Ｅは、被覆電線１１を挟み被覆電線１１に沿って密着する二本の棒形状（または板形状でもよい。）であり、第２のバレル部１８のカシメ側およびその反対側に対し直交する両側にて、絶縁被覆材１３に凹みを与えて絶縁被覆材１３に密着し横ずれを生じない構成である。したがって、二本の棒形状（または板形状）の被覆電線保持具２１Ｅを挟持して、被覆電線１１に捩じりを与える力を発揮しやすい。この被覆電線保持具２１Ｅについても、突起部を設けることができる。
【００４５】
本発明によれば、接続端子をコネクタに接続する際には、電線径が細い場合であっても、被覆電線の接続端子の近傍部分に対し、折れ曲がらずに接続方向に力を加えられるように、かつ捻る方向に力を加えられるように把持することができ、もって露出導線に触ることなく、接続端子の接続部をコネクタの端子挿入孔に迅速かつ円滑に接続することができ、また接続後の引張確認が容易にできるという効果を有し、ワイヤハーネス全般に有用である。
【符号の説明】
【００４６】
１，１Ａ，１Ｂ  ワイヤハーネス
１１  被覆電線
１２  導線
１３  絶縁被覆材
１３ａ  皮剥ぎ後の端部
１５  接続端子
１６  接続部
１７  第１のバレル部
１８，１８Ａ，１８Ｂ，１８Ｃ  第２のバレル部
１９  コネクタ
２０  端子挿入孔
２１，２１Ａ，２１Ｂ，２１Ｃ，２１Ｄ，２１Ｅ  被覆電線保持具
２２  一端部
２３  指掛部
２４，２４Ａ，２４Ｂ，２４Ｃ，２４Ｄ  突起部
【図１】
2017076479.tif 000003
【図２】
2017076479.tif 000004
【図３】
2017076479.tif 000005
【図４】
2017076479.tif 000006
【図５】
2017076479.tif 000007
【図６】
2017076479.tif 000008
【図７】
2017076479.tif 000009
【図８】
2017076479.tif 000010
【図９】
2017076479.tif 000011
【図１０】
2017076479.tif 000012